(57)【特許請求の範囲】
【請求項１】
天板と、該天板の下面奥部に配設され、且つ該天板に対して水平方向の枢軸を有するクランク形状の蝶番を介して折り畳み可能に取り付けられた背面パネルと、該天板の下面両側部に配設され、且つ背面パネルに対して鉛直方向の枢軸を有する蝶番を介して折り畳み可能に取り付けられた脚パネルとを備え、
前記天板下面奥部と前記脚パネルとの間隙に、一部が該天板下面奥部から突出するように間隙部材が配設されることを特徴とする簡易折畳式机。
【請求項２】
請求項１において、前記脚パネルのうち、少なくとも一方の脚パネルに用いられる蝶番は、クランク形状の蝶番であることを特徴とする簡易折畳式机。
【請求項３】
請求項１又は請求項２において、前記脚パネルを、前記天板と前記背面パネルの間に挟んで折り畳むようにしたことを特徴とする簡易折畳式机。
【請求項４】
請求項１乃至請求項３のいずれか１項において、前記間隙部材の、前記天板下面奥部から突出している部分は、湾曲部を有することを特徴とする簡易折畳式机。
【発明の詳細な説明】
【０００１】
【発明の属する技術分野】
本発明は、簡単に組立てたり、折畳むことができ、折り畳んだ際には、扁平な嵩の低いブロック形状にすることができる簡易折畳式机に関する。
【従来の技術】
従来より、例えば、特開平１１−３２８３９号公報にあるように、運搬、保管等に便利なように、折り畳むことができる机がある。この机は、天板に、該天板下面奥部に配設され、該天板に対して水平方向の枢軸を有する蝶番を介して背面パネルが折畳み可能に取り付けられ、更に該天板の下面両側部に対向して配設され、背面パネルに対して鉛直方向の枢軸を有する蝶番を介して脚パネルが折畳み可能に取り付けられていることにより、脚パネルを天板と背面パネルの間に挟んで折畳むことができるようになっている。
【０００２】
しかしながら、天板と背面パネルを繋ぐ蝶番に、平蝶番を使用しているので、脚パネルを折畳んだ際の、該脚パネルの厚み分の空間を確保する為に、天板と背面パネルの間に、パネル桟が必要であった。更に、背面パネルを折畳めるように、該脚パネルを、該パネル桟の高さ分、天板に対して鉛直方向に摺動できる様な蝶番を使用する等の折畳み調整が必要であった。
【０００３】
また、左右の脚パネルを同レベルで、天板と背面パネルの間に折畳んで挟むことが出来るように、脚パネルの幅は、天板の幅の２分の１以下でなければならなかった。
【０００４】
【発明が解決しようとする課題】
本発明は、上記従来の折り畳み式机の有する問題点に鑑み、パネル桟を必要とせず、更に脚パネルを天板に対して鉛直方向に摺動させる必要の無く、容易且つ短時間で折り畳んだり、組み立てることができ、そして折り畳んだ際には、扁平な嵩の低いブロック形状にすることができる簡易折畳式机を提供することを目的とする。
【０００５】
また、脚パネルの幅が、天板の幅の２分の１以下でなくても折り畳むことができる簡易折畳式机を提供することを目的とする。
【０００６】
更に、簡易折畳式机を組立て・折畳む作業の際に、天板奥部が直接作業床面と擦れて傷むことが無く、またパソコンや電話機等の配線等の載置スペースを考慮した簡易折畳式机を提供することを目的とする。
【０００７】
【課題を解決するための手段】
請求項１記載の発明は、簡易折畳式机であって、天板と、該天板の下面奥部に配設され、且つ該天板に対して水平方向の枢軸を有するクランク形状の蝶番を介して折り畳み可能に取り付けられた背面パネルと、該天板の下面両側部に配設され、且つ背面パネルに対して鉛直方向の枢軸を有する蝶番を介して折り畳み可能に取り付けられた脚パネルとを備え、前記天板下面奥部と前記脚パネルとの間隙に、一部が該天板下面奥部から突出するように間隙部材が配設されることを特徴とする。
【０００８】
本発明によれば、背面パネルに対して、天板、脚パネルを折畳むことができ、更に天板に対して水平方向の枢軸を有するクランク形状の蝶番を介して背面パネルが取り付けられることにより、脚パネルを折畳んだ際の、脚パネルの厚み分の空間を確保できる為、パネル桟等の折畳み調整部材を必要としない。また、パネル桟があるが為の折畳み調整も必要ない。この結果、材料コスト及び製造工数を削減でき、また、机の組立て・折畳み作業も容易となる。
また、前記簡易折畳式机を組立て又は折畳む作業を行う際、天板奥部が直接作業床面と擦れて傷んでしまう恐れがある。しかし、本発明によれば、前記天板下面奥部と前記脚パネルとの間隙に、一部が天板下面奥部から突出するように間隙部材が配設されることにより、天板下面奥部が直接作業床面と擦れることが無いので、天板下面奥部を保護することができる。
更に、例えば前記机を壁に接触させて使用する場合や、前記机を２台を対面させて使用する場合等には、机と壁、机と机の間に、間隙が生じる為、その間隙をパソコンや電話機等の配線等を載置するスペースとして使用することができる。
【０００９】
請求項２記載の発明は、請求項１記載の簡易折畳式机であって、前記脚パネルのうち、少なくとも一方の脚パネルに用いられる蝶番は、クランク形状の蝶番であることを特徴とする。
【００１０】
本発明によれば、前記脚パネルのうち、少なくとも一方の脚パネルに取り付けられる蝶番は、クランク形状の蝶番であることにより、他の一方の脚パネルを折畳んだ際の脚パネルの厚み分の空間を確保できる為、脚パネルを重ねて折畳むことができる。この結果、天板の幅が脚パネルの幅より大きければ、脚パネルの幅の大きさに、例えば天板の幅の２分の１以下でなければならない等の制限が必要無い。
【００１１】
請求項３記載の発明は、請求項１又は請求項２記載の簡易折畳式机であって、前記脚パネルを、前記天板と前記背面パネルの間に挟んで折り畳むようにしたことを特徴とする。
【００１２】
本発明によれば、前記簡易折畳式机を折畳んだ際に、扁平な嵩の低いブロック形状にすることができ、コンパクトで、取り扱いが簡単な状態にすることができる。
【００１６】
請求項４記載の発明は、請求項１乃至請求項３のいずれか１項の簡易折畳式机であって、前記間隙部材の、前記天板下面奥部から突出している部分は、湾曲部を有することを特徴とする。
【００１７】
本発明によれば、上述に説明した間隙を配線等を載置するスペースとして使用する場合に、前記間隙部材の、天板奥部から突出している部分の湾曲部と、円筒状の配線等とがほぼ係合する為、配線等を傷つけることなく、よりコンパクトに載置することができる。
【００１８】
【発明の実施の形態】
本発明は、天板と、該天板の下面奥部に配設され、且つ該天板に対して水平方向の枢軸を有するクランク形状の蝶番を介して折り畳み可能に取り付けられた背面パネルと、該天板の下面両側部に配設され、且つ背面パネルに対して鉛直方向の枢軸を有するクランク形状の蝶番を介して折り畳み可能に取り付けられた脚パネルとを備える簡易折畳式机である。そして、脚パネルを、天板と背面パネルの間に挟んで折り畳むことができる。また、簡易折畳式机を組立て・折畳む作業の際に天板を保護する為及び配線等を載置するスペースとして使用できるように、天板下面奥部から突出した湾曲部を有する間隙部材が、天板下面奥部と脚パネルの間隙に配設される。
【００１９】
【実施例】
天板１の下面奥部には、図５に示すように、天板１を背面パネル２に揺動可能に取り付ける、図８（ａ）、（ｂ）に示す蝶番５を構成する蝶番片５２が、所定の位置に螺設される。また、天板１の下面奥部には、図１１に示す間隙部材８が、所定の位置に螺設される。更に、天板１の下面前部には、該机を組み立てた際に天板１と脚パネル３及び脚パネル４を固定する為の、図１２に示す固定部材９の側片９６が、所定の位置に螺設される。
【００２０】
背面パネル２の上面には、図５に示すように、天板１を揺動可能に取り付ける、図８（ａ）、（ｂ）に示す蝶番５を構成する蝶番片５５が、所定の位置に螺設される。また、図６（ａ）に示すように、背面パネル２の一側面には、脚パネル３を揺動可能に取り付ける、図９（ａ）、（ｂ）に示す蝶番６を構成する蝶番片６４が、所定の位置に螺設される。更に、図６（ｂ）に示すように、背面パネル２の他側面には、脚パネル４を揺動可能に取り付ける、図１０（ａ）、（ｂ）に示す蝶番７を構成する蝶番片７４が、所定の位置に螺設される。
【００２１】
脚パネル３の上面前部には、図６（ａ）に示すように、該机を組み立てた際に、天板１に螺設された固定部材９を固定する為の取付ピン３０ａが、所定の位置に配設された取付孔３０に埋設される。また、脚パネル３の内側面には、図９（ａ）、（ｂ）に示す蝶番６を構成する蝶番片６２が、所定の位置に螺設される。
【００２２】
脚パネル４の上面前部には、図６（ｂ）に示すように、該机を組み立てた際に、天板１に螺設された固定部材９を固定する為の取付ピン４０ａが、所定の位置に配設された取付孔４０に埋設される。また、脚パネル４の内側面には、図１０（ａ）、（ｂ）に示す蝶番７を構成する蝶番片７２が、所定の位置に螺設される。
【００２３】
蝶番５は、図８（ａ）、（ｂ）に示すように、枢軸５１と、天板１側に取り付ける蝶番片５２と、背面パネル２側に取り付ける蝶番片５５からなる。該蝶番片５２は、ステンレス等の素材で構成され、軸孔５３と、天板１に螺設する為のネジ孔と、ばね装置５４を有する。該ばね装置５４は、蝶番片５２を、蝶番片５５の折曲部５５ａと同一面の状態又はほぼ９３度の傾き状態に固定させる為のものであり、ばね５４ａと、ばね止め５４ｂと、スライド係合部５４ｃと、汎用プラスチック等の素材で構成されたスライドカム部材５４ｄを有する。
【００２４】
一方、蝶番片５５は、ステンレス等の素材で構成され、枢軸５１を挿入する軸孔５６と、背面パネル２に螺設する為のネジ孔と、Ｌ字型に折曲された折曲部５５ａを有するクランク形状をなしている。この折曲部５５ａによって、本発明の折畳机を折り畳んだ際、脚パネル３、４の厚み分の空間を確保できる。該折曲部５５ａは、両側面に、蝶番片５２の回動を一部制御する為の、ほぼ９０度に折曲された部分の先端部が更にほぼ６０度に内折された爪部５５ｂを有し、端部中央に、汎用プラスチック等の素材で構成され、枢軸５１を挿入する軸孔５８を有するカム部５７を有する。また、蝶番片５５の９０度に折曲される角部には、該角部の強度を増す為、所定の位置に補強部５５ｃを有する。該補強部５５ｃの表側は、角部に対して鉛直に、ほぼ三角錐状に陥没するよう押圧され、それによって該補強部５５ｃの裏側は、ほぼ三角錐状に突起している。
【００２５】
そして、蝶番片５２の軸孔５３及び蝶番片５５の軸孔５６及びカム部５７の軸孔５８に枢軸５１を挿入した後、枢軸５１の両端をカシメ加工等により係止し、枢軸５１の抜け止めを行うと、蝶番５が形成される。
【００２６】
次に、蝶番５の動作について説明する。蝶番片５２を、枢軸５１を中心にして５１ａの方向に動かすと、スライドカム部材５４ｄがカム部５７により、スライド係合部５４ｃに沿って、ばね５４ａに対して５４ｅの方向に摺動し、これによりばね５４ａは圧縮される。そして蝶番片５２と蝶番片５５の折曲部５５ａとがほぼ９３度の傾き状態になると、スライドカム部材５４ｄがカム部５７により、スライド係合部５４ｃに沿って、ばね５４ａに対して５４ｆの方向に摺動する。
これにより圧縮されていたばね５４ａが定常状態となる為、ばね５４ａを圧縮させる程の力を与えない限り、蝶番片５２は制動される。
【００２７】
逆に、枢軸５１を中心にして５１ｂの方向に動かすと、スライドカム部材５４ｄがカム部５７により、スライド係合部５４ｃに沿って、ばね５４ａに対して５４ｅの方向に摺動し、これによりばね５４ａは圧縮される。そして該蝶番片５２と蝶番片５５の折曲部５５ａとが同一面の状態になると、スライドカム部材５４ｄがカム部５７により、スライド係合部５４ｃに沿って、ばね５４ａに対して５４ｆの方向に摺動する。しかし、ばね５４ａは、まだ圧縮されている状態なので、ばね５４ａの弾力によってスライドカム部材５４ｄがカム部５７を押圧することにより、ばね５４ａを更に圧縮させる程の力を与えない限り、該蝶番片５２は制動される。
【００２８】
蝶番６は、図９（ａ）、（ｂ）に示すように、枢軸６１と、脚パネル３側に取り付ける蝶番片６２と、背面パネル２側に取り付ける蝶番片６４とからなる。（尚、これを逆に取り付けることも可能である。）蝶番片６２は、ステンレス等の素材で構成され、枢軸６１を挿入する軸孔６３と、脚パネル３に螺設する為のネジ孔を有する。
【００２９】
一方、蝶番片６４は、ステンレス等の素材で構成され、枢軸６１を挿入する軸孔６５と、背面パネル２に螺設する為のネジ孔と、Ｌ字型に折曲された折曲部６４ａを有するクランク形状をなしている。
【００３０】
そして、蝶番片６２の軸孔６３及び蝶番片６４の軸孔６５に枢軸６１を挿入した後、枢軸６１の両端をカシメ加工等により係止し、枢軸６１の抜け止めを行うと、蝶番６が形成される。そして、背面パネル２に蝶番片６４を螺設し、脚パネル３に蝶番片６２を螺設すると、背面パネル２に脚パネル３を、枢軸６１を中心にして６１ａ方向及び６１ｂ方向に、揺動可能に一体化できる。
【００３１】
蝶番７は、図１０（ａ）、（ｂ）に示すように、枢軸７１と、背面パネル２側に取り付ける蝶番片７２と、脚パネル４側に取り付ける蝶番片７４とからなる。
（尚、これを逆に取り付けることも可能である。）該蝶番片７２は、ステンレス等の素材で構成され、枢軸７１を挿入する軸孔７３と、脚パネル４に螺設する為のネジ孔を有する。
【００３２】
一方、該蝶番片７４は、ステンレス等の素材で構成され、枢軸７１を挿入する軸孔７５と、背面パネル２に螺設する為のネジ孔と、Ｌ字型に折曲された折曲部７４ａを有するクランク形状をなしている。尚、この折曲部７２ａの幅の大きさＷ３は、脚パネル３を折畳んだ際の脚パネル３の厚みＷ１＋折曲部６４ａの幅の大きさＷ２以上の大きさであることが望ましい。これによって、脚パネル３を折畳んだ際の脚パネルの厚み分の空間を確保できる。また、蝶番片７４の９０度に折曲される角部には、該角部の強度を増す為、所定の位置に補強部７４ｂを有する。該補強部７４ｂの表側は、該角部に対して鉛直に、ほぼ三角錐状に陥没するよう押圧され、それによって該補強部７４ｂの裏側は、ほぼ三角錐状に突起している。
【００３３】
そして、蝶番片７２の軸孔７３及び蝶番片７４の軸孔７５に枢軸７１を挿入した後、枢軸７１の両端をカシメ加工等により係止し、枢軸７１の抜け止めを行うと、蝶番７が形成される。そして、背面パネル２に蝶番片７４を螺設し、脚パネル４に蝶番片７２を螺設すると、背面パネル２に脚パネル４を、枢軸７１を中心にして７１ａ方向及び７１ｂ方向に、揺動可能に一体化できる。
【００３４】
間隙部材８は、汎用プラスチック等の素材で構成され、図１１に示すように、天板１の下面奥部に螺設する為の、円錐台に円筒を積重した形状のネジ孔８０を備える。また、パソコンや電話機等の配線をコンパクトに載置できるような、滑らかにマット仕上げされた湾曲部８１を備える。
【００３５】
固定部材９は、天板１と脚パネル３及び脚パネル４を固定させる為のものである。図１２は、脚パネル３に取り付ける固定部材９を示しているが、枢軸９１を有する蝶番構造をしており、ロックレバー９２は、枢軸９１を中心にして１８０度回動可能である。側片９６が天板１に螺設される。そして、脚パネル３の取付ピン３０ａを符号９３ａの取付溝に嵌合させて、ロックレバー９２を枢軸９１を中心にして９１ａ方向に回転させ、基部９３に重なるような状態になると、ロックブロック９４が９４ａの方向に動き、それによってばね９５が圧縮され、そのばね９５の弾力により取付ピン３０ａが、図７に示すように、制動される。よって、脚パネル３は天板１に固定される。逆に、ロックレバー９２を９１ｂの方向にほぼ１８０度回転させると、ロックブロック９４が９４ｂの方向に動き、それによってばね９５は定常状態となり、取付ピン３０ａは可動状態となる。よって、脚パネル３の天板１に対する固定は解除される。尚、脚パネル４に取り付ける固定部材９は、図示しないが、図１２に示す脚パネル３に取り付ける固定部材９の鏡像形状をしており、構造、機能及び取り扱いは上述の通りである。又、天板１と脚パネル３及び脚パネル４を固定することができれば、上述の通りでなくても良く、例えばねじ等の固定部材でも構わない。
【００３６】
次に、この簡易折畳式机の組立方法について説明する。天板１に間隙部材８及び固定部材９を螺設し、その天板１に蝶番片５２を取り付けるとともに、背面パネル２に蝶番片５５を取り付け、天板１に背面パネル２を枢軸５１を中心にして揺動可能に一体化させる。また、脚パネル３に蝶番片６４を取り付けるとともに、背面パネル２に蝶番片６２を取り付け、背面パネル２に脚パネル３を枢軸６１を中心にして揺動可能に一体化させる。また、脚パネル４に蝶番片７４を取り付けるとともに、背面パネル２に蝶番片７２を取り付け、背面パネル２に脚パネル４を枢軸７１を中心にして揺動可能に一体化させる。そして、天板１、背面パネル２、脚パネル３、脚パネル４等を所定の机の形に組み立て、天板１に螺設された固定部材９のロックレバー９２を枢軸９１を中心にして９１ａ方向に回転させ、基部９３に重なるような状態にさせると、脚パネル３及び脚パネル４は天板１に固定される。なお、この組立て作業は、背面パネル２を作業床面に置いて行うことが、作業上望ましい。
【００３７】
次に、この簡易折畳式机の折り畳み方法について説明する。背面パネル２を作業床面に置いて、天板１に螺設された固定部材９のロックレバー９２を枢軸９１を中心にして９１ｂの方向にほぼ１８０度回転させると、脚パネル３及び脚パネル４の天板１に対する固定は解除される。これにより、脚パネル３及び脚パネル４を背面パネル２に対して枢軸６１及び枢軸７１を中心にして揺動できるようになる。そこで、図３（ｂ）に示すように、脚パネル３を背面パネル２に対して枢軸６１を中心にして揺動させ、脚パネル４を背面パネル２に対して枢軸７１を中心にして揺動させた後、天板１を、背面パネル２に対して水平方向の枢軸５１を中心にして揺動させると、図４に示すような１つの扁平な嵩の低いブロック形状となる。
【００３８】
このように、この簡易折畳式机は、容易且つ短時間で折り畳んだり、組み立てることができ、また、折り畳んだ際、１つの扁平な嵩の低いブロック形状にすることができ、取扱性が良好なものとなる。
【００３９】
以上、好ましい実施例を挙げて本発明を説明したが、本発明はその実施例に限定されるものではなく、特許請求の範囲に記載した技術的範囲内で種々に改変できる。尚、上述した実施形態にあっては、脚パネル３に蝶番６を取り付け、脚パネル４に蝶番７を取り付けるようにしたが、脚パネル３に蝶番７を取り付け、脚パネル４に蝶番６を取り付けるようにしても良い。
【００４０】
また、天板１と、脚パネル３及び脚パネル４との固定方法は、上述のとおりでなくても良い。
【００４１】
【発明の効果】
本発明によれば、天板に、該天板の下面奥部に配設され、且つ該天板に対して水平方向の枢軸を有するクランク形状の蝶番を介して背面パネルが取り付けられることにより、脚パネルを折畳んだ際の、該脚パネルの厚み分の空間を確保できる為、パネル桟等の折畳み調整部材を必要としない。また、パネル桟があるが為の折畳み調整も必要ない。この結果、材料コスト及び製造工数を削減でき、また、机の組立て・折畳み作業も容易となる。
【００４２】
本発明によれば、前記脚パネルのうち、少なくとも一方の脚パネルに取り付けられる蝶番は、クランク形状の蝶番であることにより、他の一方の脚パネルを折畳んだ際の該脚パネルの厚み分の空間を確保できる為、脚パネルを重ねて折畳むことができる。この結果、天板の幅が脚パネルの幅より大きければ、該脚パネルの幅の大きさに、例えば天板の幅の２分の１以下でなければならない等の制限が必要無い。
【００４３】
本発明によれば、前記簡易折畳式机を折畳んだ際に、扁平な嵩の低いブロック形状にすることができ、コンパクトで、取り扱いが簡単な状態にすることができる。
【００４４】
前記簡易折畳式机を組立て又は折畳む作業を行う際、天板奥部が直接作業床面と擦れて傷んでしまう恐れがある。しかし、本発明によれば、前記天板下面奥部と前記脚パネルとの間隙に、一部が該天板下面奥部から突出するように間隙部材が配設されることにより、天板下面奥部が直接作業床面と擦れることが無いので、天板下面奥部を保護することができる。
【００４５】
更に、例えば前記机を壁に接触させて使用する場合や、前記机を２台を対面させて使用する場合等には、該机と壁、該机と該机の間に、間隙が生じる為、該間隙をパソコンや電話機等の配線等の載置スペースとして使用することができる。
【００４６】
本発明によれば、上述に説明した間隙を配線等の収納スペースとして使用する場合に、前記間隙部材の、前記天板奥部から突出している部分の湾曲部と、円筒状の配線等とがほぼ係合する為、該配線等を傷つけることなく、よりコンパクトに載置することができる。
【図面の簡単な説明】
【図１】本発明における一実施形態における簡易折畳式机の正面図。
【図２】図１の側面図。
【図３（ａ）】図１の底面図。
【図３（ｂ）】図１の底面図で、脚パネル３、４を折り畳んだ状態を示す図。
【図４】本発明における一実施形態における簡易折畳式机を折畳んだ状態を示す図。
【図５】天板１に背面パネル２を蝶番５を介して取り付けた状態を示す図。
【図６（ａ）】背面パネル２に脚パネル３を蝶番６を介して取り付けた状態を示す図。
【図６（ｂ）】背面パネル２に脚パネル４を蝶番７を介して取り付けた状態を示す図。
【図７】脚パネル３に固定部材９を取り付けた状態を示す図。
【図８（ａ）】蝶番５の説明図で、（Ａ）は正面図、（Ｂ）は上面図、（Ｃ）は背面図、（Ｄ）は左側面図、（Ｅ）は右側面図。
【図８（ｂ）】蝶番５の正面拡大図。
【図９（ａ）】蝶番６の説明図で、（Ａ）は正面図、（Ｂ）は上面図、（Ｃ）は背面図、（Ｄ）は右側面図、（Ｅ）は右側面図。
【図９（ｂ）】蝶番６の説明図で、（Ａ）は蝶番片６２の正面図、（Ｂ）は蝶番片６２の上面図、（Ｃ）は蝶番片６４の正面図、（Ｄ）は蝶番片６４の上面図、（Ｅ）は蝶番片６４の右側面図。
【図１０（ａ）】蝶番７の説明図で、（Ａ）は正面図、（Ｂ）は上面図、（Ｃ）は背面図、（Ｄ）は左側面図、（Ｅ）は右側面図。
【図１０（ｂ）】蝶番７の説明図で、（Ａ）は蝶番片７２の正面図、（Ｂ）は蝶番片７２の上面図、（Ｃ）は蝶番片７４の正面図、（Ｄ）は蝶番片７２の上面図、（Ｅ）は蝶番片７２の右側面図。
【図１１】間隙部材８の説明図で、（Ａ）は正面図、（Ｂ）は上面図、（Ｃ）は底面図、（Ｄ）は背面図、（Ｅ）は左側面図、（Ｆ）は右側面図、（Ｇ）はＦ−Ｆ線による断面図。
【図１２】固定部材９の説明図で、（Ａ）は正面図、（Ｂ）は上面図、（Ｃ）は右側面図。
【符号の説明】
１      天板
２      背面パネル
３      脚パネル
４      脚パネル
５      蝶番
６      蝶番
７      蝶番
８      間隙部材
９      固定部材
【図１】
0004616503.tif 000002
【図２】
0004616503.tif 000003
【図３（ａ）】
0004616503.tif 000004
【図３（ｂ）】
0004616503.tif 000005
【図４】
0004616503.tif 000006
【図５】
0004616503.tif 000007
【図６（ａ）】
0004616503.tif 000008
【図６（ｂ）】
0004616503.tif 000009
【図７】
0004616503.tif 000010
【図８（ａ）】
0004616503.tif 000011
【図８（ｂ）】
0004616503.tif 000012
【図９（ａ）】
0004616503.tif 000013
【図９（ｂ）】
0004616503.tif 000014
【図１０（ａ）】
0004616503.tif 000015
【図１０（ｂ）】
0004616503.tif 000016
【図１１】
0004616503.tif 000017
【図１２】
0004616503.tif 000018